(57)【要約】【課題】ユーザが見逃すことが無くなるような認知性の向上と手動で画面を切り替えなくてもエラー状況を確認できるという操作性の向上とを実現する設備監視装置を得る。【解決手段】接続された接続機器の動作状況により画面の表示内容が動的に変化する設備監視装置において、表示制御手段は、接続機器にエラーが発生した際に、表示手段にエラー状況表示２２をポップアップウインドウにより表示するとともに画面の一部にエラー存在表示２１を固定的に表示し、エラーの継続中である際に、所定の操作入力によりエラー状況表示２２の消去及び再表示を可能とするとともにエラー存在表示２１を画面の一部に固定的に常時表示し、エラーが消滅した際には、エラー状況表示２２およびエラー存在表示２１を消去する。【選択図】        図２
2007122588.tif 000002
【特許請求の範囲】
【請求項１】
接続された接続機器の動作状況により画面の表示内容が動的に変化する設備監視装置において、
表示手段と、
前記接続機器と通信を行い前記接続機器の前記動作状況及びエラー状況を得る機器通信手段と、
操作入力を受け付ける操作入力手段と、
前記動作状況に基づいて前記表示手段に動作状況表示を表示するとともに、前記操作入力手段に基づいて前記動作状況表示を切り替える表示制御手段とを有し、
前記表示制御手段は、
前記接続機器にエラーが発生した際に、前記表示手段にエラー状況表示をポップアップウインドウにより表示するとともに画面の一部にエラー存在表示を固定的に表示し、
エラーの継続中である際に、所定の操作入力により前記エラー状況表示の消去及び再表示を可能とするとともに前記エラー存在表示を前記画面の一部に固定的に常時表示し、
エラーが消滅した際には、前記エラー状況表示および前記エラー存在表示を消去する
ことを特徴とした設備監視装置。
【請求項２】
前記表示制御手段は、エラーの重要度の高さ、或いはエラーの発生個数に応じて前記エラー状況表示を動的に変化させる
ことを特徴とした請求項１に記載の設備監視装置。
【請求項３】
複数の前記接続機器にてエラーが発生している場合、前記表示制御手段は、前記エラー状況表示を各接続機器毎に作成し、前記操作入力により各接続機器毎の前記エラー状況表示に順次切り替える
ことを特徴とした請求項１または２に記載の設備監視装置。
【請求項４】
前記操作入力手段は、前記表示手段の画面から任意の画像や位置を選択させるポインティングデバイスである
ことを特徴とした請求項１から３のいずれか１項に記載の設備監視装置。
【請求項５】
前記ポインティングデバイスの前記エラー状況表示を再表示する操作入力位置が、前記エラー存在表示の位置である
ことを特徴とした請求項４に記載の設備監視装置。
【請求項６】
前記表示制御手段は、前記動作状況表示をアイコンを用いて表示する
ことを特徴とした請求項１から５のいずれか１項に記載の設備監視装置。
【請求項７】
機器にエラーが発生した際に、画面にエラー状況表示をポップアップウインドウにより表示するとともに画面の一部にエラー存在表示を固定的に表示するようにし、
エラーの継続中においては、所定の操作入力により前記エラー状況表示の消去及び再表示可能とするとともに前記エラー存在表示を前記画面の一部に固定的に常時表示するようにし、
エラーが消滅した際には、前記エラー状況表示および前記エラー存在表示を消去するようにした
ことを特徴とした機器のエラー表示方法。
【請求項８】
前記エラー状況表示を、エラーの重要度の高さ、或いはエラーの発生個数に応じて動的に変化させるようにした
ことを特徴とした請求項７に記載の機器のエラー表示方法。
【請求項９】
複数のエラーが発生している場合、前記エラー状況表示を各エラー毎に作成し、前記操作入力により各エラー毎の前記エラー状況表示に順次切り替えるようにした
ことを特徴とした請求項７または８に記載の機器のエラー表示方法。
【発明の詳細な説明】
【技術分野】
【０００１】
本発明は、監視対象となる接続機器の動作状況を動的に表示する表示手段を備えた設備監視装置に関するものであり、また、エラーが発生した際の機器のエラー表示方法に関するものである。
【背景技術】
【０００２】
監視対象となる接続機器の動作状況により表示内容を動的に変化させる表示手段を装備する設備監視装置においては、一般に、接続機器が異常となった場合をエラーの発生と認知して、このエラーの内容をエラー状況表示として表示する。そして、従来、例えば給湯機等のリモコンのディスプレイに表示するものとして、自動モードとして、運転状況の表示である動作状況表示とエラーの詳細な状況の表示であるエラー状況表示とを周期的に切り替える方法が提案されている（例えば、特許文献１参照）。
【０００３】
また、手動モードとして、動作状況表示とエラー状況表示とを手動により切り替える方法も提案されている（同じく、特許文献１参照）。
【０００４】
【特許文献１】特開平８−１６１６６８号公報
【発明の開示】
【発明が解決しようとする課題】
【０００５】
しかしながら、上記従来の技術の動作状況表示とエラー状況表示とを周期的に切り替える方法にあっては、エラーが発生している時に動作状況表示が表示されているタイミングでユーザが画面を見るとエラーを見逃してしまうという問題があった。また、エラー発生時の動作状況を確認したい場合は、エラー状況表示が表示されている間は、次に動作状況表示が切り替わって表示されるまで待たなくてはならないという問題もあった。
【０００６】
一方、手動により表示を切り替える方法においては、エラーが発生している時に通常操作画面を選択した状態では、やはり、ユーザがエラーの発生を見逃してしまうという問題があった。さらに、ユーザがエラーの発生を見逃さなかった場合においても、ユーザがエラー状況の詳細を確認するためには、手動で画面をエラー状況表示に切り替えて確認しなければならず、操作性が悪いという問題があった。
【０００７】
本発明は、上記に鑑みてなされたものであって、監視対象となる接続機器にエラーが発生したときにユーザが見逃すことが無くなるような認知性の向上と、エラーが発生したときに手動で画面を切り替えなくてもエラー状況を確認できるという操作性の向上とを実現することができる設備監視装置および機器のエラー表示方法を得ることを目的とする。
【課題を解決するための手段】
【０００８】
上述した課題を解決し、目的を達成するために、本発明の設備監視装置は、接続された接続機器の動作状況により画面の表示内容が動的に変化する設備監視装置において、表示手段と、前記接続機器と通信を行い前記接続機器の前記動作状況及びエラー状況を得る機器通信手段と、操作入力を受け付ける操作入力手段と、前記動作状況に基づいて前記表示手段に動作状況表示を表示するとともに、前記操作入力手段に基づいて前記動作状況表示を切り替える表示制御手段とを有し、前記表示制御手段は、前記接続機器にエラーが発生した際に、前記表示手段にエラー状況表示をポップアップウインドウにより表示するとともに画面の一部にエラー存在表示を固定的に表示し、エラーの継続中である際に、所定の操作入力により前記エラー状況表示の消去及び再表示を可能とするとともに前記エラー存在表示を前記画面の一部に固定的に常時表示し、エラーが消滅した際には、前記エラー状況表示および前記エラー存在表示を消去することを特徴とする。
【０００９】
また、本発明の機器のエラー表示方法は、機器にエラーが発生した際に、画面にエラー状況表示をポップアップウインドウにより表示するとともに画面の一部にエラー存在表示を固定的に表示するようにし、エラーの継続中においては、所定の操作入力により前記エラー状況表示の消去及び再表示可能とするとともに前記エラー存在表示を前記画面の一部に固定的に常時表示するようにし、エラーが消滅した際には、前記エラー状況表示および前記エラー存在表示を消去するようにしたことを特徴とする。
【発明の効果】
【００１０】
この発明によれば、エラーの内容を示すエラー状況表示をポップアップウインドウとして表示するとともに、このエラー状況表示を所定の操作入力により消去・再表示可能とし、さらに、このポップアップウインドウとされたエラー状況表示を消去した画面においても、エラー存在表示を画面の一部に固定的に常時表示するようにしたので、設備監視装置或いは機器にエラーが発生したときにユーザが見逃すことが無くなるような認知性の向上と、エラーが発生したときに手動で画面を切り替えなくてもエラー状況を確認できるという操作性の向上とを実現することができる。
【発明を実施するための最良の形態】
【００１１】
以下に、本発明にかかる設備監視装置の実施の形態を図面に基づいて詳細に説明する。なお、この実施の形態によりこの発明が限定されるものではない。
【００１２】
実施の形態１．
図１は本発明にかかる実施の形態１の設備監視装置の機能構成を示すブロック図である。図１において、設備監視装置１００は、監視対象となる接続機器２００Ａ、２００Ｂ、２００Ｃおよび２００Ｄと通信路９を介して接続されている。設備監視装置１００は、通信路９を介して、これら接続機器の動作状況及びエラー状況を得る。設備監視装置１００は、これら接続機器と通信を行う機器通信手段３と、接続機器の状態をアイコン等を用いてユーザに示して、各々の接続機器の動作状況により動作状況表示が動的に変化する表示がされる表示手段７と、表示手段７に表示する画像データや画像の位置情報、表示個数等を管理する画面管理手段６と、表示手段７に表示される画面からユーザに任意の画像や位置を選択させる操作入力手段であるポインティングデバイス８とを有している。ポインティングデバイス８から得られる位置情報は、画面管理手段６により使用される。
【００１３】
さらに、設備監視装置１００は、接続機器２００Ａ、２００Ｂ、２００Ｃおよび２００Ｄの動作状況が、それぞれ動作状態なのか、停止状態なのか、動作状態ならばどのようなモードで動作しているか等の情報を管理する機器管理手段４と、接続機器がエラー状態になった場合に、その情報を機器管理手段４から取得し、各接続機器がどのようなエラー状態にあるのかを管理するエラー管理手段５と、機器通信手段３から得た通信情報より接続機器の個数や状態を把握したり、画面管理手段６、表示手段７およびポインティングデバイス８が保持するデータをそれぞれ必要な手段へ送信したり、全体の動作を制御したりする制御手段２を有している。ここで、制御手段２、機器管理手段４、エラー管理手段５及び画面管理手段６は、各接続機器の動作状況に基づいて表示手段７に動作状況表示を表示するとともに、ポインティングデバイス８による入力に基づいて動作状況表示を切り替える表示制御手段１０を構成している。
【００１４】
図２は本実施の形態において表示手段７に表示される表示画面を示す図である。図２（ａ）は動作状況表示として表示される通常操作画面２０の表示状態を示している。通常操作画面２０には、例えば、接続機器の温度をその調整ボタンと共に表示する動作表示部２７と、対応する各接続機器２００Ａ、２００Ｂ、２００Ｃおよび２００Ｄの操作をするために、各接続機器の通常操作画面２０に切り替えるためのアイコン表示の操作ボタン２８Ａ、２８Ｂ、２８Ｃおよび２８Ｄとが表示されている。
【００１５】
図２（ｂ）はエラーの発生とエラーの内容とを知らせるためのエラー状況表示であるエラー画面２２が、図２（ａ）の通常操作画面２０の上にポップアップウインドウとして表示された表示状態を示している。エラー画面２２には、エラー画面２２を閉じる（消去する）際に用いる閉じるボタン２３も表示される。一方同図には、画面の右上の所定の位置にエラー存在表示であるエラーボタン２１が固定的に表示された表示状態も示している。ここで言う固定的に表示とは、他の画面に表示を切り替えても、常に同じ場所に表示さあれていることを言う。このようなことから、エラーボタン２１の表示位置は、すべての画面の表示内容と干渉しない位置とされている。
【００１６】
図２（ｃ）は図２（ｂ）に示す画面で閉じるボタン２３を押下した際に表示される表示画面の表示状態を示している。同図に示す表示画面は、通常操作画面２０にエラーボタン２１が表示された状態となっている。
【００１７】
図３は本実施の形態の設備監視装置１００におけるエラー画面を表示する際の処理手順を説明するためのフローチャートである。図３に沿って動作を説明する。まず、接続機器２００Ａ、２００Ｂ、２００Ｃおよび２００Ｄより動作状況情報を含む機器状態の情報が通信路９を通って、設備監視装置１００へ送られる。設備監視装置１００では、機器通信手段３がこの機器状態の情報を受信し、通信情報として制御手段２へ送る。制御手段２は受け取った通信情報から必要な情報として動作情報の情報（接続機器情報）を取り出し、取り出した接続機器情報を機器管理手段４と画面管理手段６へ伝える。
【００１８】
画面管理手段６は、受け取った接続機器情報を基に、表示手段７で表示する画面の画像データや画像の位置情報、表示個数等を決定して表示画面を生成する。画面管理手段６は、生成した表示画面を、制御手段２を介して表示手段７に伝え、表示手段７は、表示画面に基づいて図２（ａ）に示す画面を表示する。
【００１９】
機器管理手段４は、受け取った接続機器情報に基づいて監視対象の接続機器２００Ａ、２００Ｂ、２００Ｃおよび２００Ｄの状態を管理することによってエラーの発生を常時把握しており（ステップＳ３０）、接続機器２００Ａ、２００Ｂ、２００Ｃおよび２００Ｄのいずれかにエラーが発生した場合やこれらの接続機器との通信が途絶えた場合に、接続機器の状態をエラー状態と認識する。
【００２０】
機器管理手段４は、いずれかの接続機器がエラー状態にあると認識した場合（ステップＳ３０；Ｙｅｓ）、その情報をエラー管理手段５へ伝える。エラー管理手段５は、エラー状態と認識した旨の情報を受けると、エラー管理手段５は、対象の接続機器がエラー状態になった旨のエラー情報を生成して、生成したエラー情報を、制御手段２を介して画面管理手段６へ伝える。
【００２１】
画面管理手段６は、受け取ったエラー情報に基づいて表示画面を生成し、表示手段７に出力する。具体的には、画面管理手段６は、エラー内容を知らせるエラー画面２２とエラーボタン２１の表示画面を生成して、制御手段２を介して表示手段７へ伝える。表示手段７は、画面管理手段６が生成した表示画面に基づいて、図２（ｂ）に示すようなエラー内容を知らせるポップアップウインドウとされたエラー画面２２とエラーボタン２１とを含む画面を表示させる（ステップＳ３１）。
【００２２】
その後、エラーが解除された際（ステップＳ３２；Ｙｅｓ）、監視している接続機器よりエラー状態から復帰した情報（復帰情報）が通信路９および機器通信手段３を経て、制御手段２に伝えられ、制御手段２がさらに機器管理手段４へ復帰情報を伝える。機器管理手段４では、この復帰情報を元に対象接続機器の状態を変化させて、その変化させた対象接続機器の接続機器情報をエラー管理手段５へ伝える。エラー管理手段５ではどの接続機器のエラーが解消されたかを調べ、その結果、全ての接続機器の全てのエラーが解消された場合、エラー解消情報を制御手段２へ伝える。エラー解消情報を受けると制御手段２はその情報を画面管理手段６に伝え、画面管理手段６は、エラー内容を知らせるエラー画面２２とエラーボタン２１とを表示画面から消去する処理を行い、生成した表示画面を表示手段７に伝える。表示手段７は、エラー内容を知らせるエラー画面２２と常時表示されるエラーボタン２１とを消去した図２（ａ）に示す通常操作画面２０を表示画面として表示する（ステップＳ３７）。
【００２３】
一方、エラーが解除されない（ステップＳ３２；Ｎｏ）うちに、ユーザにより、表示手段７において図２（ｂ）に示す表示画面のエラー内容を知らせるエラー画面２２が確認され、ポインティングデバイス８が用いられてエラー画面２２の閉じるボタン２３が押下されると（ステップＳ３３；Ｙｅｓ）、ポインティングデバイス８は、制御手段２を介して画面管理手段６へこの押下情報を伝える。画面管理手段６は、押下情報を受けると画面管理手段６は、閉じるボタン２３が押されたことを認知して、エラー画面２２を閉じた（消去した）表示画面を生成し、その表示画面を表示手段７に伝える。これにより、表示手段７は、エラー画面２２を消去する（ステップＳ３４）。その際、表示手段７は、エラー発生時に同時に表示した常時表示されるエラーボタン２１は表示したままにする。その結果、表示手段７は、通常操作画面にエラーボタン２１が追加された図２（ｃ）に示す画面を表示する。
【００２４】
その後、エラーが解除された場合（ステップＳ３５；Ｙｅｓ）には、ステップＳ３２にて、Ｙｅｓであった場合と同様な処理が行われ、表示手段７は、ステップＳ３４で閉じたエラー画面に加えて、エラーボタン２１も消去した図２（ａ）に示す通常操作画面２０を表示画面として表示する（ステップＳ３７）こととなる。
【００２５】
さらに、エラーが解除されないうちに（ステップＳ３５；Ｎｏ）、図２（ｃ）の画面が表示された状態で、ユーザがエラー内容をもう一度確認したい場合に、ユーザにより図２（ｃ）に示す表示画面に常時表示されるエラーボタン２１をポインティングデバイス８が用いられて押下されると（ステップＳ３６；Ｙｅｓ）、ポインティングデバイス８は、制御手段２を介して画面管理手段６へ押下情報を伝える。押下情報を受けると、画面管理手段６は、常時表示されるエラーボタン２１が押下されたことを認識し、エラー画面２２を再度表示させるようにした表示画面を生成し、その表示画面を表示手段７に伝える。表示手段７は、図２（ｂ）に示すようにエラー画面２２を再度表示する（ステップＳ３１）。
【００２６】
このように本実施の形態１の設備監視装置１００においては、エラーの内容を示すエラー画面２２（エラー状況表示）をポップアップウインドウとして表示するとともに、このエラー状況表示を所定の操作入力により消去・再表示可能とし、さらに、このポップアップウインドウとされたエラー状況表示を消去した画面においても、エラー存在表示を画面の一部に固定的に常時表示するようにしたので、設備監視装置にエラーが発生したときにユーザが見逃すことが無くなるような認知性の向上と、エラーが発生したときに手動で画面を切り替えなくてもエラー状況を確認できるという操作性の向上とを実現することができる。
【００２７】
また、操作入力手段が、表示手段７の画面から任意の画像や位置を選択させるポインティングデバイス８であり、このポインティングデバイス８のエラー画面２２（エラー状況表示）を再表示する操作入力位置が、エラーボタン２１（エラー存在表示）の位置であるので、ユーザの感性にあった操作により、エラー画面２２（エラー状況表示）を再表示することができ、さらに操作性を向上させることができる。
【００２８】
なお、実施の形態１では１つの接続機器がエラー状態ならばどの接続機器に対応する操作画面上でも必ず常時表示されるエラーボタン２１を表示するようにしているが、エラーが発生した接続機器に対応する操作画面上にのみこのエラーボタン２１を表示する方法も考えられる。このような表示方法とすることにより、いずれかの接続機器にてエラーが発生しているというエラーの認知性はやや劣るものとなるが、逆にどの接続機器がエラー状態であるかというエラーの認知性は向上する。
【００２９】
実施の形態２．
本実施の形態２では、エラーの内容に応じたエラーの重要度を用いることによってエラー画面の表示方法を変化させる。本実施の形態２のエラー管理手段５は、実施の形態１の機能に加えて、エラーの内容に応じてエラーの重要度を決定する機能をさらに有している。すなわち、エラー管理手段５は、各接続機器のエラーの有無だけではなく、各エラーの重要度も含んだエラー情報を生成する。エラー管理手段５は、エラーの重要度を、例えば、予め定められたエラーの種類とそれに対応する重要度（例えば、最大、大、中、それ以外）との関係に基づいて、発生したエラーの内容がどの重要度に該当するかを決定する。
【００３０】
また、制御手段２は、実施の形態１の機能に加えて、エラーの重要度に応じてエラー画面の表示方法が異なるように画面管理手段６に指示する機能をさらに備える。すなわち、制御手段２は、エラーが発生した際、エラー情報に含まれるエラーの重要度の情報を受け取り、受け取ったエラーの重要度の情報からエラーの重要度を判定して、判定結果に応じたエラーの表示方法を行う旨の指示を画面管理手段６に伝える。例えば、エラーの重要度が最大、大、中、それ以外の場合との夫々に、異なったエラーの表示方法を行う旨の指示を伝える。
【００３１】
さらに、画面管理手段６は、実施の形態１の機能に加えて、制御手段２からのエラーの重要度の判定結果に応じたエラーの表示方法を行う旨の指示に基づいて、エラー情報に基づいて生成する表示画面のエラー画面を変化させる機能をさらに有する。
【００３２】
つぎに図４、図５を参照しながら動作について説明する。図４は、実施の形態２において、制御手段２がエラー内容を知らせるエラー画面２２の表示方法を選択する際の処理手順を示すフローチャートであり、図５は、実施の形態２におけるエラー内容を知らせるエラー画面２２を強調表示する際の表示画面を示す図である。なお、エラーが発生して、エラー管理手段５がエラーの内容を示すエラー情報を生成するまでの動作は、実施の形態１と同一であるので説明を省略する。
【００３３】
エラーが発生した場合、エラー管理手段５は、エラー情報としてエラーの内容からエラーの重要度を決定し、決定したエラーの重要度をも含むエラー情報を生成し、生成したエラー情報を制御手段２に出力する。
【００３４】
エラー情報を受け取ると、制御手段２は、エラー情報に含まれるエラーの重要度の情報に基づいてそのエラーの重要度が最大かどうか判定する（ステップＳ４０）。この判定の結果、エラーの重要度が最大ならば、図２（ｂ）に示すエラー内容を知らせるエラー画面２４の表示画像を生成すると共に、閉じるボタン２３を押下しても閉じないように画面管理手段６に指示する（ステップＳ４３）。これにより、ユーザが誤って閉じるボタン２３を押下してもエラー画面２４が消去してしまうことを防止することができる。
【００３５】
一方、判定の結果、エラーの重要度が最大でなければ、次ステップにて重要度を再チェックし、重要度が大かどうか判定する（ステップＳ４１）。重要度が大ならば（ステップＳ４１；Ｙｅｓ）、図５に示すようにエラー画面２４の上部２４ａを図５（ａ）で示すように白色の表示画面を生成したり、図５（ｂ）で示すように着色の表示画面を生成したりを繰り返すと共に、もし閉じるボタン２３を押下してエラー内容を知らせるエラー画面２４を閉じたとしても、１分後には再度自動的に図５に示すエラー内容を知らせるエラー画面２４の表示画面を生成するように画面管理手段６に指示する（ステップＳ４４）。点滅表示させることにより、重要度が高いエラーが発生したことをユーザに知らせることができる。
【００３６】
さらに、エラーの重要度が大でなければ（ステップＳ４１；Ｎｏ）、制御手段２は、次ステップにて重要度を再チェックし、重要度中かどうか判定する（ステップＳ４２）。中ならば（ステップＳ４２；Ｙｅｓ）、もし閉じるボタン２３を押下してエラー内容を知らせるエラー画面２４を消去したとしても、５分後には再度自動的にエラー内容を知らせるエラー画面２４の表示画面を生成するように画面管理手段６に指示する（ステップＳ４５）。
【００３７】
また、エラーの重要度が中でなければ（ステップＳ４２；Ｎｏ）、閉じるボタン２３を押下した後は自動的にエラー内容を知らせるエラー画面２４を表示画面として生成しないように画面管理手段６に指示する（ステップＳ４６）。但し、常時表示されるエラーボタン２１は表示された表示画面として生成されているように画面管理手段６に指示する。
【００３８】
このように、エラー内容により重要度を特定して、特定した重要度により表示方法を変化させることとしたので、ユーザにエラーの重要度を視覚的に分からせることができ、さらに認知性が向上する。
【００３９】
なお、上記の実施の形態２では、エラーの重要度が最大の場合に、制御手段２は、閉じるボタン２３を押下しても閉じないように画面管理手段６に指示していたが、これに限らず、制御手段２は、閉じるボタン２３自体を表示せずに、常時エラー内容を知らせるエラー画面２４を表示すように画面管理手段６に指示してもよい。
【００４０】
実施の形態３．
本実施の形態３では、エラーの個数を把握して、エラーが複数ある場合は実施の形態１のエラー画面２２にエラーが複数存在することを示す表示を付加した複数用のエラー画面を生成して表示する場合について説明する。
【００４１】
図６は本発明にかかる実施の形態３の設備監視装置の複数のエラーが発生した場合に生成する表示画面を示す図である。本実施の形態３のエラー管理手段５は、実施の形態１の機能に加えて、各接続機器のエラーの有無だけではなく、各エラーの個数も含んだエラー情報を生成する機能をさらに有する。
【００４２】
また、制御手段２は、実施の形態１の機能に加えて、エラーの個数が複数であるか否かを判定して、複数であればエラーが複数存在することを示す複数用のエラー画面を用いて表示画面を生成するように画面管理手段６に指示する機能をさらに有する。すなわち、制御手段２は、エラーが発生した際、エラー情報に含まれるエラーの個数の情報を受け取り、受け取ったエラーの個数の情報からエラーが複数であるか否かを判定して、判定結果に応じたエラー画面の表示内容を行う旨の指示を画面管理手段６に伝える機能をさらに有する。
【００４３】
さらに、画面管理手段６は、実施の形態１の機能に加えて、エラーの個数が複数であれば、エラーが複数存在することを示す複数用のエラー画面を用いて表示画面を生成する機能をさらに有する。すなわち、、制御手段２からのエラーの個数の判定結果に応じたエラー画面を生成する旨の指示に基づいて、エラー情報に基づいて生成する表示画面のエラー画面を複数用のエラー画面に変化させる。エラーの個数が複数であると判定された場合は、図６に示すエラー画面を生成する。図６（ａ）は複数用のエラー画面を示しており、同図には、次のエラーのエラー画面を表示するための次へボタン２５が示されている。エラー画面を並べる順番は、エラーの重要度順や監視接続機器順、エラーの種類順等が考えられるが、これに限定されない。
【００４４】
エラー管理手段５は、エラーが複数発生した場合、エラーの個数を決定し、エラー情報として決定したエラーの個数をも含むエラー情報を生成し、生成したエラー情報を制御手段２に出力する。制御手段２は、エラー情報を受け取ると、エラー情報に含まれるエラーの個数に基づいてそのエラーが複数であるか否かを判定する。この判定の結果、エラーが複数であれば、画面管理手段６に複数用のエラー画面を生成する旨を指示する。複数用のエラー画面を生成する指示を受けると、画面管理手段６は、図６（ａ）のエラー内容を知らせるエラー画面２２の表示画面を生成する。エラー内容を知らせるエラー画面２２の下部には閉じるボタン２３と共に次へボタン２５が用意され、次へボタン２５を押下する毎に順次エラー表示されていく。
【００４５】
なお、複数用のエラー画面は、図６（ａ）に示したものに限らず、例えば図６（ｂ）のように前へボタン２６を追加して前後に移動できるようにするエラー画面２２でもよい。
【００４６】
このように、エラーの個数を把握して、エラーの個数が複数ある場合は、複数のエラーが存在することを示す表示を付加したエラー画面を表示画面として生成するので、複数のエラーが存在することを示しながら、各エラーについては単数のときとほぼ同様なエラー画面で示すことができるため、さらに認知性が向上し、複数のエラー画面を選択して表示することができ、エラー画面を表示する際の操作性が向上する。
【産業上の利用可能性】
【００４７】
以上のように、本発明にかかる設備監視装置は、接続機器の動作状況を表示手段に表示して監視する場合に有用であり、特に、接続機器に発生したエラーを表示手段に表示する場合に適している。
【図面の簡単な説明】
【００４８】
【図１】本発明にかかる実施の形態１の設備監視装置の機能構成を示すブロック図である。
【図２】実施の形態１において表示手段に表示される表示画面の変化を示す図である。
【図３】実施の形態１においてエラー画面を表示する際の処理手順を説明するためのフローチャートである。
【図４】実施の形態２において制御手段がエラー内容を知らせるエラー画面の表示方法を選択する際の処理手順を示すフローチャートである。
【図５】実施の形態２においてエラーの重要度に応じてエラー画面を強調表示する際の表示画面を示す図である。
【図６】実施の形態３において複数のエラーが発生した場合に生成する表示画面を示す図である。
【符号の説明】
【００４９】
２  制御手段
３  機器通信手段
４  機器管理手段
５  エラー管理手段
６  画面管理手段
７  表示手段
８  ポインティングデバイス（操作入力手段）
１０  表示制御手段
２０  通常操作画面
２１  エラーボタン（エラー存在表示）
２２、２４  エラー画面（エラー状況表示）
２３  閉じるボタン
２５  次へボタン
２６  前へボタン
２７  動作表示部
２８  操作ボタン
１００  設備監視装置
２００Ａ、２００Ｂ、２００Ｃ、２００Ｄ  接続機器
【図１】
2007122588.tif 000003
【図２】
2007122588.tif 000004
【図３】
2007122588.tif 000005
【図４】
2007122588.tif 000006
【図５】
2007122588.tif 000007
【図６】
2007122588.tif 000008